(57)【要約】      （修正有）【課題】撮影の練習を行うことが可能な撮像装置を提供する。【解決手段】撮像装置は、撮影状態を検出する検出部１７，２４と、予め用意された画像を表示可能な表示部３２，３５と、検出部により検出された信号を用いて、表示部に表示される画像を変化させる制御を行う制御部３１と、を含む。検出する撮影状態は、焦点距離、絞り値、撮影感度などであり、これらの値に応じて、予め用意された画像を拡大、縮小したりして、撮影の結果を示す。【選択図】図１
2009194643.tif 000002
【特許請求の範囲】
【請求項１】
撮影状態を検出する検出部と、
予め用意された画像を表示可能な表示部と、
前記検出部により検出された信号を用いて、前記表示部に表示される前記画像を変化させる制御を行う制御部と、を含むことを特徴とする撮影装置。
【請求項２】
請求項１に記載された撮影装置であって、
仮想的な主要被写体を含む前記画像を記憶する記憶部を有し、
前記制御部は、前記主要被写体を前記表示部に表示させる制御を行うことを特徴とする撮影装置。
【請求項３】
請求項１又は２記載の撮影装置であって、
前記制御部は、前記表示部に表示される前記画像を所定の速度で移動させることを特徴とする撮影装置。
【請求項４】
請求項１から請求項３の何れか１項に記載された撮像装置であって、
前記表示部は、撮像範囲を見定めるための覗き窓であることを特徴とする撮像装置。
【請求項５】
請求項１から請求項４の何れか１項に記載された撮影装置であって、
前記検出部は、前記撮影装置の焦点距離、角度、角速度、絞り値、及び、撮影感度のうち、少なくとも一つを検出することを特徴とする撮影装置。
【請求項６】
請求項２から請求項５までの何れか１項に記載された撮影装置であって、
前記撮影装置の焦点距離、前記主要被写体の撮影距離、前記主要被写体の移動方向、前記主要被写体の移動の速さ、及び、前記主要被写体の明るさのうち、少なくとも一つを設定可能な設定部を有することを特徴とする撮影装置。
【請求項７】
請求項１から請求項６までの何れか１項に記載された撮影装置であって、
前記制御部は、静止画像または動画像を前記表示部に表示させる制御を行うことを特徴とする撮影装置。
【請求項８】
請求項１から請求項７までの何れか１項に記載された撮影装置であって、
前記表示部は、前記制御部により制御された前記画像の変化を表示することを特徴とする撮影装置。
【請求項９】
請求項８に記載された撮影装置であって、
撮影タイミングを決定するためのレリーズスイッチを有し、
前記制御部は、前記レリーズスイッチを操作したときに前記検出部により検出された撮影状態に応じて、前記画像の変化を制御することを特徴とする撮影装置。
【発明の詳細な説明】
【技術分野】
【０００１】
本発明は、撮影練習機能を備えた撮影装置に関する。
【背景技術】
【０００２】
異なる撮影条件で加工した複数のサンプル画像の中から、所望の撮影条件の画像を選択したり、さらにその撮影条件に変更を加えることで、イメージ通りの撮影条件を設定する機能を備えた撮像装置が従来から知られている（例えば、特許文献１参照）。
【０００３】
【特許文献１】特開２００２−１５２５８６号公報
【発明の開示】
【発明が解決しようとする課題】
【０００４】
上述の機能は、実際の撮影に際して使用されるものであり、撮影の練習を行うことはできなかった。本発明が解決しようとする課題は、撮影の練習を行うことが可能な撮像装置を提供することである。
【課題を解決するための手段】
【０００５】
請求項１記載の発明は、撮影状態を検出する検出部（１７，２４）と、予め用意された画像（５０，６０）を表示可能な表示部（３２，３５）と、前記検出部により検出された信号を用いて、前記表示部に表示される前記画像を変化させる制御を行う制御部（３１）と、を含むことを特徴とする撮影装置である。
【０００６】
請求項２記載の発明は、請求項１に記載された撮影装置であって、仮想的な主要被写体（５０）を含む前記画像を記憶する記憶部（２３）を有し、前記制御部は、前記主要被写体を前記表示部に表示させる制御を行うことを特徴とする撮影装置である。
【０００７】
請求項３記載の発明は、請求項１又は２記載の撮影装置であって、前記制御部は、前記表示部に表示される前記画像を所定の速度で移動させることを特徴とする撮影装置である。
【０００８】
請求項４記載の発明は、請求項１から請求項３の何れか１項に記載された撮像装置であって、前記表示部は、撮像範囲を見定めるための覗き窓であることを特徴とする撮像装置である。
【０００９】
請求項５記載の発明は、請求項１から請求項４の何れか１項に記載された撮影装置であって、前記検出部は、前記撮影装置の焦点距離、角度、角速度、絞り値、及び、撮影感度のうち、少なくとも一つを検出することを特徴とする撮影装置である。
【００１０】
請求項６記載の発明は、請求項２から請求項５までの何れか１項に記載された撮影装置であって、前記撮影装置の焦点距離、前記主要被写体の撮影距離、前記主要被写体の移動方向、前記主要被写体の移動の速さ、及び、前記主要被写体の明るさのうち、少なくとも一つを設定可能な設定部（２５）を有することを特徴とする撮影装置である。
【００１１】
請求項７記載の発明は、請求項１から請求項６までの何れか１項に記載された撮影装置であって、前記制御部は、静止画像または動画像を前記表示部に表示させる制御を行うことを特徴とする撮影装置である。
【００１２】
請求項８記載の発明は、請求項１から請求項７までの何れか１項に記載された撮影装置であって、前記表示部は、前記制御部により制御された前記画像の変化を表示することを特徴とする撮影装置である。
【００１３】
請求項９記載の発明は、請求項８に記載された撮影装置であって、撮影タイミングを決定するためのレリーズスイッチ（２６）を有し、前記制御部は、前記レリーズスイッチを操作したときに前記検出部により検出された撮影状態に応じて、前記画像の変化を制御することを特徴とする撮影装置である。
【発明の効果】
【００１４】
本発明では、撮影の練習を行うことができる。
【発明を実施するための最良の形態】
【００１５】
以下、本発明の実施形態を図面に基づいて説明する。
【００１６】
図１は本発明の実施形態におけるデジタルカメラの構成を示すブロック図である。
【００１７】
本実施形態におけるカメラ１は、レンズ鏡筒１０とカメラボディ２０で構成され、マウント４１を介してカメラボディ２０にレンズ鏡筒１０が着脱自在に装着されている。また、本実施形態におけるカメラ１は、電子ビューファインダ（ＥＶＦ：Electronic View Finder）３２や液晶モニタ３５に表示された仮想的な被写体を撮影することでユーザが撮影練習を行う機能を備えている。
【００１８】
レンズ鏡筒１０の内部には、レンズ１１〜１４及び絞り１５を含む撮影光学系が設けられている。一方、カメラボディ２０の内部には、撮像素子２１が設けられており、レンズ鏡筒１０がカメラボディ２０に装着された状態で、レンズ１１〜１４、絞り１５及び撮像素子２１が光軸Ｌ１上に位置するようになっている。
【００１９】
レンズ鏡筒１０は、レンズ１１〜１４の相対的な位置関係を変化させることで、焦点距離が可変となっている。レンズ１１〜１４は、例えば、固定筒及び回転筒に形成された個別のカムにそれぞれ保持されており、回転筒を固定筒に対して相対的に回転させることで、それぞれのレンズ１１〜１４が光軸Ｌ１に沿ってそれぞれ独立して直動動作するようになっている。なお、レンズ鏡筒のレンズ構成によっては、ズーム動作の際に直進動作しないレンズが存在する場合もある。
【００２０】
また、レンズ鏡筒１０は、レンズ１１〜１４から構成される撮影光学系の焦点距離を検出する焦点距離検出部１０１を備えている。この焦点距離検出部１０１は、例えば、エンコーダパターンが表面に形成され、回転筒に取り付けられたフレキシブル基板と、固定筒に取り付けられ、前記エンコーダパターンに接触するブラシ接点と、から構成されるエンコーダを備えている。この焦点距離検出部１０１は、例えば、ユーザがズーム操作環を操作することで回転した回転筒の回転量を計測し、この回転量に基づいて撮影光学系の焦点距離を検出する。
【００２１】
フォーカスレンズ１２は、例えば超音波モータ等から構成されるフォーカスレンズ駆動部１２１により、ズーム操作に伴う移動とは別に、光軸Ｌ１に沿って直進移動することが可能となっている。このフォーカスレンズ１２の位置は、フォーカスレンズ位置検出部１２２により検出することが可能となっている。フォーカスレンズ位置検出部１２２としては、上述の焦点距離検出部１０１と同様に、例えば、フレキシブル基板とブラシ接点から構成されるエンコーダを用いることができる。本実施形態において撮影練習機能を実行する場合には、このフォーカスレンズ位置検出部１２２は、マニュアルフォーカスモードにおいてユーザの操作により変化したフォーカスレンズ１２の位置検出に使用される。
【００２２】
補正レンズ１３は、補正レンズ駆動部１３１により、光軸Ｌ１に対して実質的に直交する平面上を移動することが可能となっている。この補正レンズ１３の位置は、例えばホール素子等から構成される補正レンズ位置検出部１３２により検出することが可能となっている。補正レンズ駆動部１３１の具体例としては、例えば、永久磁石とコイルから構成されるボイスコイルモータ（ＶＣＭ）を例示することができる。本実施形態において撮影練習機能を実行している場合には、補正レンズ駆動部１３１を駆動させる必要はなく、これにより消費電力を節約することができる。なお、光学式手振れ補正に代えて、撮像素子２１自体をシフトするタイプの手振れ補正を用いてもよい。
【００２３】
絞り１５は、上記の撮影光学系を通過して撮像素子２１に至る光束の光量を調整するために、例えばステッピングモータ等から構成される絞り駆動部１５１により、光軸Ｌ１を中心とした開口径を調整することが可能となっている。
【００２４】
また、レンズ鏡筒１０はレンズＣＰＵ１６を備えている。レンズＣＰＵ１６には、レンズ鏡筒１０内の各駆動部１２１，１３１，１５１が電気的に接続されているとともに、各検出部１０１，１２２，１３２が電気的に接続されている。このレンズＣＰＵ１６は、マウント４１の接点４２を介して、ボディＣＰＵ２２に電気的に接続されている。この接点４２を介して、レンズＣＰＵ１６とボディＣＰＵ２２との間で、撮影に関する情報が授受されるとともに、レンズＣＰＵ１６及び各駆動部１２１，１３１，１５１を駆動させるために必要な電力が、カメラボディ２０に内蔵されたバッテリ（不図示）からレンズ鏡筒１０に供給される。レンズＣＰＵ１６とボディＣＰＵ２２との間で授受される情報の具体例としては、例えば、各駆動部１２１，１３１，１５１の駆動量や、各検出部１０１，１２２，１３２による検出結果等を挙げることができる。
【００２５】
さらに、レンズ鏡筒１０は、例えば角速度センサ等から構成される手振れ検出部１７を備えている。この手振れ検出部１７は、レンズＣＰＵ１６に電気的に接続されている。撮影時に手振れが発生すると、手振れ検出部１７がブレ量を検出し、レンズＣＰＵ１６がそのブレ量を相殺する補正量を算出する。そして、この補正量に基づいて補正レンズ駆動部１３１が補正レンズ１３を移動させることで、撮影中に生じる手振れを抑制することが可能となっている。本実施形態における撮影練習機能を実行する場合には、この手振れ検出部１７は、練習時に生じるブレ量の検出に使用される。
【００２６】
一方、カメラボディ２０は、撮像素子２１及びボディＣＰＵ２２を備えている。撮像素子２１は、例えばＣＣＤイメージセンサやＣＭＯＳイメージセンサ等で構成されており、上記の撮影光学系の予定焦点面に設けられている。この撮像素子２１は、受光した光信号を電気信号に変換してボディＣＰＵ２２に送出する。
【００２７】
また、カメラボディ２０は、液晶表示素子から構成されるＥＶＦ３２と、これを駆動する第１の液晶駆動回路３３と、撮像範囲を見定めるための覗き窓であるファインダのために用いられる接眼レンズ３４と、から構成される観察光学系を備えている。第１の液晶駆動回路３３には、ボディＣＰＵ２２から撮影画像情報が逐次送出され、これに基づいてＥＶＦ３２を駆動させる。これにより、ユーザは、接眼レンズ３４を通じて、現在の撮影画像を観察することができる。本実施形態では、このＥＶＦ３２を介して、ユーザが仮想的な練習用被写体を見ながら実際の撮影操作を行うことで、撮影練習を行う。
【００２８】
また、図示実施例では、ボディＣＰＵ２２、画像制御回路３１から第１の液晶駆動回路３３に供給される情報を第２の液晶駆動回路３６に供給してもよい。これによりユーザは、接眼レンズ３４ではなく液晶モニタ３５を用いて撮像画像を観察でき、仮想的な練習用被写体を見ながら実際の撮影操作を行うことで撮影練習を行うことができる。
【００２９】
また、カメラボディ３０は、各種設定を行うための入力スイッチから構成される操作部２５と、レリーズスイッチ２６と、を備えている。ユーザがこの操作部２５を操作することで、オート設定モード／マニュアル設定モードの切り替えや、シャッタスピードや絞り値、ＩＳＯ感度（撮影感度）等を手動で設定することが可能となっている。
【００３０】
また、本実施形態では、操作部２５は、撮影練習を開始するためのスタートボタン（不図示）を備えているとともに、撮影練習で使用される練習用被写体に関する各種パラメータを設定することが可能となっている。練習用被写体に関するパラメータの具体例としては、例えば、練習用被写体の移動速度、移動方向、及び、明るさ、並びに、練習用被写体とカメラ１との間の距離等を挙げることができる。
【００３１】
なお、ユーザが操作部２５を介して撮影練習時のカメラ１の焦点距離を設定してもよい。これにより、実際にカメラボディ２０に装着されているレンズ鏡筒１０の焦点距離とは異なる焦点距離でも、撮影練習することが可能となる。
【００３２】
また、カメラボディ２０は、撮像素子２１により撮影された撮影画像情報が記録されるメモリ２３と、カメラボディ２０の背面に設けられた液晶モニタ３５と、これを駆動する第２の液晶駆動回路３６と、を備えている。ユーザがレリーズスイッチ２６を押すと、ＥＶＦ３２に表示されていた撮影画像情報は、第２の液晶駆動回路３６を介して液晶モニタ３５に表示されるとともに、メモリ２３に記録される。本実施形態における撮影練習では、撮影結果が液晶モニタ３５に表示されるようになっている。
【００３３】
メモリ２３として、カメラボディ２０に内蔵された内蔵型メモリを採用してもよいし、カメラボディ２０に着脱可能なカード型メモリ等の外部媒体を採用してもよい。本実施形態では、撮影練習に用いられる練習用被写体及び練習用背景の画像データがメモリ２３にそれぞれ記録されている。
【００３４】
練習用被写体の具体例としては、例えば、自動車、飛行機、船等を挙げることができる。練習用被写体及び練習用背景の画像は、静止画像でも動画像であってもよく、カメラ１の表示処理能力に合わせて簡素化してもよい。また、練習用背景として、実際にカメラ１により撮影した画像を用いたり、撮像素子２１を通じてリアルタイムに取得される画像を用いてもよい。なお、ＥＶＦ３２には、練習用背景の一部が背景として表示されるので、練習用背景の画像データは、カメラ１の向きが変わってもＥＶＦ３２に背景が常時表示されるように、ＥＶＦ３２の表示面積よりも十分に大きなサイズを有している。
【００３５】
さらに、本実施形態におけるカメラボディ２０は、方位センサ２４と画像制御回路３１を備えている。方位センサ２４は、カメラ１の向きを検出することが可能となっており、例えば磁気センサ等を構成されている。
【００３６】
画像制御回路３１は、撮影練習機能の実行中において、ボディＣＰＵ２２によりメモリ２３から読み込まれた練習用被写体及び練習用背景の画像データを、撮影状態に基づいて変化させるように制御する。
【００３７】
撮影状態の具体例としては、例えば、操作部２５を介して設定されたシャッタスピード、絞り値及びＩＳＯ感度、方位センサ２４により検出されたカメラ１の角度、手振れ検出部１７により検出された角速度、並びに、焦点距離検出部１０１により検出された焦点距離等を挙げることができる。また、マニュアルフォーカスモードが選択されている場合には、フォーカスレンズ位置検出部１２２により検出されたフォーカスレンズ位置に基づいて、画像制御回路３１がＥＶＦ３２に表示されている画像の焦点を変化させてもよい。
【００３８】
例えば、ユーザが撮影練習中にカメラ１の向きを変えた場合には、方位センサ２４により検出されるカメラ１の角度や速度等に基づいて、画像制御装置３１は、練習用背景においてＥＶＦ３２に表示されている部分を移動させる。また、カメラ１の角度や速度等に加えて、練習用被写体に設定された移動速度等に基づいて、画像制御回路３１は、ＥＶＦ３２上において練習用被写体を移動させる。
【００３９】
また、例えば、撮影練習中に手振れが生じた場合には、手振れ検出部１７により検出される角速度に基づいて、画像制御装置３１は、練習用被写体や背景自体を振動させてＥＶＦ３２に表示させる。
【００４０】
さらに、ユーザが撮影練習中にズーム操作した場合には、画像制御回路３１は、ＥＶＦ３２に表示されている自動車５０及び背景６０を拡大したり縮小する。
【００４１】
画像制御回路３１により変化された練習用被写体及び背景の画像データは、第１又は第２の液晶駆動回路３３，３６を介して、ＥＶＦ３２又は液晶モニタ３５に送出される。ＥＶＦ３２及び液晶モニタ３５は、変化後の練習用背景と練習用被写体とを重畳的に表示する。
【００４２】
図２は本発明の実施形態における撮影練習の手順を示すフローチャート、図３Ａは練習用被写体及び背景を表示したＥＶＦの画像を示す図、図３Ｂは撮影練習において流し撮りに成功した例を示す図、図３Ｃ及び図３Ｄは撮影練習において失敗した例を示す図である。
【００４３】
図２のステップＳ１０において、ユーザがカメラ１の操作部２５を介して撮影練習機能をスタートさせると、まず、画像制御回路３１が、ボディＣＰＵ２２を介して、メモリ２３から練習用被写体及び練習用背景の画像データを読み込む（ステップＳ１１）。
【００４４】
なお、この際、例えば、メモリ２３に記憶されている練習用被写体の画像データの一覧を液晶モニタ３５に表示し、ユーザが操作部２５を介して所望の練習用被写体を選択するようにしてもよい。同様に、例えば、メモリ２３に記憶されている練習用背景の画像データの一覧を液晶モニタ３５に表示し、ユーザが操作部２５を介して所望の練習用背景を選択するようにしてもよい。
【００４５】
本実施形態では、例えば、図３Ａに示すように、練習用被写体として自動車５０を選択し、樹木と道から構成される背景６０を一部に有する練習用背景を選択した場合について説明する。
【００４６】
図２のステップＳ１２において、画像制御回路３１は、ボディＣＰＵ２２を介して、撮影光学系の焦点距離等のレンズ鏡筒１０に関する情報を、レンズＣＰＵ１６から取得する。
【００４７】
次いで、ユーザは、操作部２５を介して、練習用被写体に関する各種パラメータを設定する（ステップＳ１３）。本実施形態では、例えば、カメラ１から１０ｍ離れた位置で、自動車５０が図３Ａにおいて左方向に向かって時速６０ｋｍで移動するように設定する。
【００４８】
なお、メモリ２３に記憶されているそれぞれの練習用被写体の画像データに、練習用被写体の移動速度、移動方向、及び、明るさ、並びに、練習用被写体とカメラ１との間の距離等の各種パラメータが予め設定されていてもよい。さらに、ユーザが、所望に応じて、操作部２５を介してこれら各種パラメータを調節するようにしてもよい。因みに、本実施形態では、練習用被写体を移動させるように説明しているが、例えばユーザが初心者であるような場合には、先ずは練習用被写体を静止させた状態で撮影練習を行うのも有効である。
【００４９】
次いで、ステップ１４において、画像制御回路３１は、ステップＳ１２で取得された焦点距離、及び、ステップＳ１３で設定された練習用被写体とカメラ１との間の距離等に応じた大きさで自動車５０及び背景６０がＥＶＦ３２に表示されるように、自動車５０及び背景６０のサイズを調整する。また、画像制御回路３１は、ステップＳ１３で設定された明るさに基づいて、ＥＶＦ３２に表示される自動車５０の明るさを調整する。
【００５０】
次いで、ユーザがレリーズスイッチ２６を押すまで待機する（ステップＳ１５にてＮＯ）。そして、ユーザがＥＶＦ３２を覗きながらレリーズスイッチ２６を半押しすると（ステップＳ１５にてＹＥＳ）、図３Ａに示すように、画像制御回路３１は、第１の液晶駆動回路３３を介して、自動車５０と背景６０をＥＶＦ３２に重畳的に表示させる（ステップＳ１６）。この際、画像制御回路３１は、ステップＳ１３で設定された移動速度、移動方向及び距離に基づいて、ＥＶＦ３２上において自動車５０を変化（移動）させる。
【００５１】
そして、ステップＳ１７において、ユーザが、レリーズスイッチ２６を半押しのままで、ＥＶＦ３２上に表示された自動車５０をあたかも追いかけるようにカメラ１の方向を変えると、方位センサ２４がカメラ１の向きの変化量を検出する。また、この追従動作において、手振れが発生している場合には、手振れ検出部１７がそのブレ量を検出する。
【００５２】
画像制御回路３１は、ステップＳ１７で検出されたカメラ１の向きの変化量に基づいて、練習用背景においてＥＶＦ３２に表示されている部分６０を移動させると共に、ＥＶＦ３２上で自動車５０を変化（移動）させる制御を行い（ステップＳ１８）、その変化後の自動車５０及び背景６０をＥＶＦ３２に表示させる（ステップＳ１９）。
【００５３】
例えば、ユーザによるカメラ１の追従動作が自動車５０の移動に追いついている場合には、画像制御回路３１は、カメラ１の向きの変化量に応じて、練習用背景においてＥＶＦ３２に表示されている部分６０を移動させる。また、この場合には、自動車５０の移動速度がカメラ１の移動速度で相殺されるので、画像制御回路３１は、ＥＶＦ３２上に自動車５０全体を表示させたままにしておく。
【００５４】
これに対し、例えば、ユーザによるカメラ１の追従動作が自動車５０の移動に追いついていない場合には、画像制御回路３１は、カメラ１の向きの変化量に応じて、練習用背景においてＥＶＦ３２に表示されている部分６０を移動させる。また、この場合には、カメラ１よりも自動車５０の方が速く移動しているので、画像制御回路３１は、自動車５０の移動速度やカメラ１の向きの変化量等に基づいて、ＥＶＦ３２上に自動車５０の後側の一部のみを表示し、或いは、自動車５０を表示させない。
【００５５】
また、ユーザがカメラ１の追従動作を行っている間に、手振れ検出部１７によりブレ量が検出された場合には、画像制御回路３１は、ＥＶＦ３２に表示されている自動車５０及び背景６０自体を振動させる。なお、手振れ検出部１７により検出されたブレ量から、補正レンズ駆動部１３１による補正量を差し引いた量だけ、自動車５０及び背景６０を振動させてもよい。
【００５６】
さらに、カメラ１の追従動作を行っている間に、ユーザがズーム操作した場合には、画像制御回路３１は、焦点距離検出部１２３の検出結果に基づいて、ＥＶＦ３２に表示されている自動車５０及び背景６０を拡大したり縮小する。
【００５７】
なお、マニュアルフォーカスモードで撮影練習機能を実行している場合には、フォーカスレンズ位置検出部１２２により検出されるフォーカスレンズ位置に応じて、ＥＶＦ３２上に表示される自動車５０にピントを合わせたりずらしたりしてもよい。
【００５８】
ユーザがレリーズスイッチ２６を全押しするまでステップＳ１７〜Ｓ１９までの処理を繰り返し（ステップＳ２０にてＮＯ）、ＥＶＦ３２の画像を逐次更新する。そして、ユーザがレリーズスイッチ２６を全押しすると（ステップＳ２０にてＹＥＳ）、画像制御回路３１は、その瞬間にＥＶＦ３２に表示されている画像を擬似的に撮影して、当該画像を第２の液晶表示回路３６を介して液晶モニタ３５に撮影結果として表示させる（ステップＳ２１）。
【００５９】
この際、操作部２５を介して、シャッタスピード、絞り値及びＩＳＯ感度が手動で設定されている場合には、ＥＶＦ３２に表示されている画像に、これらのパラメータを反映させて擬似的に撮影する。因みに、オートモードで撮影練習機能を実行している場合には、ＡＦ機能により自動設定されたシャッタスピード、絞り値及びＩＳＯ感度が、ＥＶＦ３２に表示されている画像に反映される。
【００６０】
ユーザがカメラ１を自動車５０の移動に適切に追従させた場合には、図３Ｂに示すように、自動車５０にピントが合っているのに対して背景６０が流れている、いわゆる「流し撮り」に成功する。
【００６１】
一方、ユーザによるカメラ１の追従動作が自動車５０の移動に十分に追いつくことができなかった場合には、図３Ｃに示すように、自動車５０の後側の一部しか撮影されていない画像が液晶モニタ６０に表示される。
【００６２】
また、ユーザがカメラ１のレリーズスイッチ２６を押す瞬間に手振れが発生していた場合には、図３Ｄに示すように、自動車５０及び背景６０自体が振動している画像が液晶モニタ６０に表示される。
【００６３】
ユーザは、撮影練習後に液晶モニタ３５を通じて撮影結果を確認することで、被写体位置の適正や手振れの有無等を検証して、撮影技術の向上を図ることができる。
【００６４】
なお、以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【００６５】
例えば、上述の実施形態では、交換レンズ式のデジタルスチルカメラに本発明を適用した例について説明したが、例えば、レンズ一体式のデジタルスチルカメラや、デジタルビデオカメラ、携帯電話その他の光学機器に本発明を適用してもよい。
【００６６】
また、カメラにＧＰＳ機能及び無線ＬＡＮ機能を設けて、カメラの位置情報に応じた背景画像を無線ＬＡＮを介して入手してもよい。
【図面の簡単な説明】
【００６７】
【図１】本発明の実施形態におけるデジタルカメラの構成を示すブロック図である。
【図２】本発明の実施形態における撮影練習の手順を示すフローチャートである。
【図３Ａ】図３Ａは、練習用被写体及び背景を表示したＥＶＦの画像を示す図である。
【図３Ｂ】図３Ｂは、撮影練習において流し撮りを成功した例を示す図である。
【図３Ｃ】図３Ｃは、撮影練習において失敗した例（その１）を示す図である。
【図３Ｄ】図３Ｄは、撮影練習において失敗した例（その２）を示す図である。
【符号の説明】
【００６８】
１…カメラ
１０…レンズ鏡筒
１０１…焦点距離検出部
１１〜１４…レンズ
１２２…フォーカスレンズ位置検出部
１６…レンズＣＰＵ
１７…手振れ検出部
２０…カメラボディ
２１…撮像素子
２２…ボディＣＰＵ
２３…メモリ
２４…方位センサ
２５…操作部
２６…レリーズスイッチ
３１…画像制御回路
３２…ＥＶＦ
３５…液晶モニタ
【図１】
2009194643.tif 000003
【図２】
2009194643.tif 000004
【図３Ａ】
2009194643.tif 000005
【図３Ｂ】
2009194643.tif 000006
【図３Ｃ】
2009194643.tif 000007
【図３Ｄ】
2009194643.tif 000008